(57)【特許請求の範囲】
【請求項１】
上階と下階とを備えており、上階の床の一部の上に中間床が設けられ、この中間床と上階の床との間が低天井収納室とされた建物において、
上階から下階に前記低天井収納室を含んで連続する出窓が外壁に沿って設けられ、
前記出窓には上下に連続する風洞部が前記出窓の外壁内面に沿って設けられていることを特徴とする建物。
【請求項２】
請求項１に記載の建物において、
前記上階の床に、第１張出床部が前記風洞部内に張り出して設けられるとともに、前記中間床に、第２張出床部が前記風洞部内に張り出して設けられており、
前記第１および第２張出床部は、これら第１および第２張出床部を上下に貫通する通気孔と、この通気孔を開閉する開閉手段とを備えていることを特徴とする建物。
【請求項３】
請求項１または２に記載の建物において、
前記上階に前記低天井収納室に隣接する部屋が設けられ、該上階の部屋と前記低天井収納室との間には出入り口が形成されているとともに、この出入り口を開閉する開閉扉が設けられており、
前記開閉扉には、前記上階の部屋と前記低天井収納室とを連通する通気部が設けられていることを特徴とする建物。
【請求項４】
請求項１〜３のいずれか一項に記載の建物において、
前記出窓の外壁には、建物の外部へ通じる換気口が前記低天井収納室の出入り口に対向して設けられていることを特徴とする建物。
【請求項５】
請求項１〜４のいずれか一項に記載の建物において、
前記第１および第２張出床部に換気扇装置が設けられており、この換気扇装置の羽根の回転方向が正逆反転可能となっていることを特徴とする建物。
【請求項６】
請求項１〜５のいずれか一項に記載の建物において、
前記低天井収納室には、前記出窓に取り付けられて、空気を加熱または冷却して室内に送風する空気調和機が設けられていることを特徴とする建物。
【発明の詳細な説明】
【技術分野】
【０００１】
本発明は、上階と下階とを備えており、上階の床の一部の上に中間床が設けられ、この中間床と上階の床との間が低天井収納室とされた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、多くのエネルギーを消費するという問題があった。このため、特に、春や秋等の気候がよい季節においては上記のような換気装置を用いずに、各部屋の窓やドアを開けて建物内に外気を導入し、建物内部の空気と入れ換える等して換気を行うようにしている。
【０００５】
しかしながら、暖かい空気は上昇する性質を備えており、各部屋の窓やドアを開けただけでは、この暖かい空気が各部屋の天井部付近に溜まってしまい、効率よく換気を行うことが困難であった。このため、住宅等の建物において換気を効率良く行うことが可能な技術の開発が望まれていた。
【０００６】
また、以上のような換気装置や空調機器は、建物の各部屋や小屋裏空間、天井懐等に設置されるが、その際、建物内の各部屋の天井高を低くとったり、収納スペースを削ったりなどして設置のためのスペースを確保する場合がある。
このため、上記のように効率の良い換気が可能な建物においては、前記換気装置や空調機器を設置するためのスペースを確保するかわりに、例えば、建物内に比較的大きな収納スペースを設ける等、建物内のスペースを有効的に活用したいという要望があった。
【０００７】
本発明の課題は、建物内に比較的大きな収納スペースを設けることができるとともに、効率良く換気を行うことが可能な建物を提供することを目的とする。
【課題を解決するための手段】
【０００８】
請求項１に記載の発明は、例えば図１に示すように、上階１０と下階２０とを備えており、上階１０の床１０ａの一部の上に中間床１１が設けられ、この中間床１１と上階１０の床１０ａとの間が低天井収納室３０とされた建物１において、
上階１０から下階２０に前記低天井収納室３０を含んで連続する出窓４０が外壁に沿って設けられ、
前記出窓４０には上下に連続する風洞部４１が前記出窓４０の外壁内面４０ａに沿って設けられていることを特徴とする。
【０００９】
請求項１に記載の発明によれば、前記出窓４０の外壁内面４０ａに沿って設けられた風洞部４１を通じて上下階１０、２０および低天井収納室３０の空気が行き来し、建物１内の空気の流通性を向上させることができるので、建物１内の換気を行うに際して効率良く換気を行うことが可能となる。
特に、暖かい空気は上昇する性質を備えていることから、下階２０の天井２０ａ付近および低天井収納室３０の天井３０ａ付近にあった暖かい空気が、前記風洞部４１を通じて上階１０の天井１０ｂ付近に集まって溜まるので、上階１０に溜まった暖かい空気を前記出窓４０から排気することで、建物１全体の暖かい空気を排気することができるようになり、換気効率に優れる。
【００１０】
また、上階１０の床１０ａの一部の上に中間床１１が設けられ、この中間床１１と上階１０の床１０ａとの間が低天井収納室３０とされているので、建物１内に比較的大きな収納スペースを設けることができる。
そして、上階１０と下階２０とのほぼ中間位置に比較的大きい収納スペースを設けることによって、下階２０や外部で使用する物品も、上階１０で使用する物品も収納しやすくなるので、建物１の収納性能を向上させることが可能となる。
さらに、上階１０と低天井収納室３０とが同じ床レベルになっているので、上階１０からの物品の搬入および搬出がし易い。
【００１１】
請求項２に記載の発明は、例えば図１および図２（ａ）、（ｂ）に示すように、請求項１に記載の建物１において、
前記上階１０の床１０ａに、第１張出床部１２が前記風洞部４１内に張り出して設けられるとともに、前記中間床１１に、第２張出床部１４が前記風洞部４１内に張り出して設けられており、
前記第１および第２張出床部１２、１４は、これら第１および第２張出床部１２、１４を上下に貫通する通気孔１２ａ、１４ａと、この通気孔１２ａ、１４ａを開閉する開閉手段１３、１５とを備えていることを特徴とする。
【００１２】
請求項２に記載の発明によれば、前記通気孔１２ａ、１４ａが前記第１および第２張出床部１２、１４を貫通していることから、前記開閉手段１３、１５によって通気孔１２ａ、１４ａを開放することで、上下階１０、２０および低天井収納室３０の空気を、前記風洞部４１を通じて行き来させることができるので、空気の流通性を向上させることができ、効率良く換気を行うことが可能となる。
また、前記開閉手段１３、１５によって通気孔１２ａ、１４ａを閉塞することで、上下階１０、２０および低天井収納室３０の気密性を向上させることができるので、建物１を暖房する際の補助となり、特に冬場等の寒冷な時季において過ごしやすい生活環境を形成することができる。
【００１３】
さらに、前記第１および第２張出床部１２、１４のうち、どちらか一方の通気孔１２ａ、１４ａを開放しておき、他方の通気孔１２ａ、１４ａを閉塞しておくことによって、上階１０および低天井収納室３０間のみ空気を流通させたり、下階２０および低天井収納室３０間のみ空気を流通させたりできる。これによって、居住者の要望に応じて建物１内の空気の流通を変えることができるので、より過ごしやすい生活環境を形成することが可能となる。
【００１４】
請求項３に記載の発明は、例えば図１に示すように、請求項１または２に記載の建物１において、
前記上階１０に前記低天井収納室３０に隣接する部屋１７が設けられ、該上階１０の部屋１７と前記低天井収納室３０との間には出入り口３１が形成されているとともに、この出入り口３１を開閉する開閉扉３２が設けられており、
前記開閉扉３２には、前記上階１０の部屋１７と前記低天井収納室３０とを連通する通気部３２ａが設けられていることを特徴とする。
【００１５】
請求項３に記載の発明によれば、前記開閉扉３２に、前記上階１０の部屋１７と前記低天井収納室３０とを連通する通気部３２ａが設けられているので、この通気部３２ａを通じて前記上階１０の部屋１７および低天井収納室３０の空気を行き来させることができ、前記上階１０の部屋１７および低天井収納室３０間の換気効率を向上させることが可能となる。
【００１６】
請求項４に記載の発明は、例えば図１に示すように、請求項１〜３のいずれか一項に記載の建物１において、
前記出窓４０の外壁には、建物１の外部へ通じる換気口４２が前記低天井収納室３０の出入り口３１に対向して設けられていることを特徴とする。
【００１７】
請求項４に記載の発明によれば、前記出窓４０の外壁に、建物１の外部へ通じる換気口４２が前記低天井収納室３０の出入り口３１に対向して設けられているので、前記換気口４２から流入させた外気を、前記出入り口３１を通じて前記上階１０の部屋１７に吹き込ませることができ、建物１内の換気を行うに際して、より効率良く換気を行うことが可能となる。
【００１８】
請求項５に記載の発明は、例えば図３に示すように、請求項１〜４のいずれか一項に記載の建物１において、
前記第１および第２張出床部１２、１４に換気扇装置１８が設けられており、この換気扇装置１８の羽根１８ａの回転方向が正逆反転可能となっていることを特徴とする。
【００１９】
請求項５に記載の発明によれば、前記第１および第２張出床部１２、１４に換気扇装置１８が設けられているので、この換気扇装置１８を作動させることで建物１内の換気を行う際の補助となり、換気効率をより一層向上することができる。
また、前記羽根１８ａが正逆反転可能となっていることによって、居住者の要望に応じて建物１内の空気の流通を変えることができるので、さらに過ごしやすい生活環境を形成することが可能となる。
【００２０】
請求項６に記載の発明は、例えば図１に示すように、請求項１〜５のいずれか一項に記載の建物１において、
前記低天井収納室３０には、前記出窓４０に取り付けられて、空気を加熱または冷却して室内に送風する空気調和機４３が設けられていることを特徴とする。
【００２１】
請求項６に記載の発明によれば、前記低天井収納室３０に空気調和機４３が設けられることから、この空気調和機４３によって、前記低天井収納室３０だけでなく、前記風洞部４１を通じて上下階１０、２０の空気調和も行うことができるので、より一層過ごしやすい生活環境を形成することができる。
【発明の効果】
【００２２】
本発明によれば、出窓の外壁内面に沿って設けられた風洞部を通じて上下階および低天井収納室の空気が行き来し、建物内の空気の流通性を向上させることができるので、建物内の換気を行うに際して効率良く換気を行うことが可能となる。
特に、暖かい空気は上昇する性質を備えていることから、下階の天井付近および低天井収納室の天井付近にあった暖かい空気が、前記風洞部を通じて上階の天井付近に集まって溜まるので、上階に溜まった暖かい空気を前記出窓から排気することで、建物全体の暖かい空気を排気することができるようになり、換気効率に優れる。
また、上階の床の一部の上に中間床が設けられ、この中間床と上階の床との間が低天井収納室とされているので、建物内に比較的大きな収納スペースを設けることができる。
そして、上階と下階とのほぼ中間位置に比較的大きい収納スペースを設けることによって、下階や外部で使用する物品も、上階で使用する物品も収納しやすくなるので、建物の収納性能を向上させることが可能となる。
【発明を実施するための最良の形態】
【００２３】
以下、図面を参照して本発明に係る建物１の実施の形態について説明する。
なお、以下の各実施の形態において説明する建物１は、壁や床、屋根といった建物１の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物１にも適用することができる。
【００２４】
本実施の形態の建物１は、図１に示すように、上階１０と下階２０とを備えており、上階１０の床１０ａの一部の上に中間床１１が設けられ、この中間床１１と上階１０の床１０ａとの間が低天井収納室３０とされたものであり、
上階１０から下階２０に前記低天井収納室３０を含んで連続する出窓４０が外壁に沿って設けられ、
前記出窓４０には上下に連続する風洞部４１が前記出窓４０の外壁内面４０ａに沿って設けられている。
【００２５】
ここで、本実施の形態の建物１は、上述したように上階１０と下階２０とを備えており、各階に複数の部屋が設けられた２階建ての建物１となっている。
【００２６】
前記上階１０は、前記中間床１１と上階１０の床１０ａとの間に設けられた低天井収納室３０と、前記中間床１１と上階１０の天井１０ｂとの間に設けられる第１部屋１６と、前記低天井収納室３０および第１部屋１６に隣接する第２部屋１７とを備えている。
【００２７】
前記第２部屋１７は、前記低天井収納室３０および第１部屋１６に隣接しているので、これら低天井収納室３０の天井高および第１部屋１６の天井高とを合わせた高さの天井高を有しており、吹抜け空間を備えた広々とした部屋となっている。
また、前記第１部屋１６と第２部屋１７との間には、これら第１部屋１６と第２部屋１７とを行き来するための階段１７ａが設けられている。
【００２８】
前記低天井収納室３０は、日用品等を収納する収納スペースとして利用されており、前記上階１０の床１０ａから中間床１１までの天井高が１．４ｍに設定されているが、０．９ｍ〜１．４ｍの高さ範囲であれば、これに限られるものではない。
すなわち、このように、前記低天井収納室３０の天井高を０．９ｍ〜１．４ｍに設定することによって、居住者が低天井収納室３０に入って、何とか作業ができる最低限の高さを確保でき、また、このように天井高を必要最低限に押さえることで、建物１の高さが高くなることによって隣接する建物１に及ぼす日照現象等の影響を極力少なくすることが可能となっている。
【００２９】
前記出窓４０は、上述したように、上階１０から下階２０に前記低天井収納室３０を含んで連続し、外壁に沿って設けられている。そして、この出窓４０の外壁内面４０ａに沿って前記風洞部４１が設けられている。すなわち、前記出窓４０は、水平断面コ字状に形成されて凹型空間を有しており、この凹型空間が前記風洞部４１として設けられた状態となっている。
また、前記出窓４０には、前記第１部屋１６に面して窓部４４が設けられているとともに、下階２０の部屋に面して窓部４５が設けられている。
【００３０】
一方、前記風洞部４１内に張り出すようにして前記上階１０の床１０ａに、第１張出床部１２が設けられるとともに、前記中間床１１に、第２張出床部１４が設けられた状態となっている。
そして、図２（ａ）、（ｂ）に示すように、前記第１および第２張出床部１２、１４は、これら第１および第２張出床部１２、１４を上下に貫通する通気孔１２ａ、１４ａと、この通気孔１２ａ、１４ａを開閉する開閉手段１３、１５とを備えている。
【００３１】
すなわち、前記通気孔１２ａ、１４ａが前記第１および第２張出床部１２、１４を貫通していることから、前記開閉手段１３、１５によって通気孔１２ａ、１４ａを開放することで、上下階１０、２０および低天井収納室３０の空気を、前記風洞部４１を通じて行き来させることができるので、空気の流通性を向上させることができ、効率良く換気を行うことが可能となっている。
また、前記開閉手段１３、１５によって通気孔１２ａ、１４ａを閉塞することで、上下階１０、２０および低天井収納室３０の気密性を向上させることができるので、建物１を暖房する際の補助となり、特に冬場等の寒冷な時季において過ごしやすい生活環境を形成することができるようになっている。
【００３２】
さらに、前記第１および第２張出床部１２、１４のうち、どちらか一方の通気孔１２ａ、１４ａを開放しておき、他方の通気孔１２ａ、１４ａを閉塞しておくことによって、上階１０および低天井収納室３０間のみ空気を流通させたり、下階２０および低天井収納室３０間のみ空気を流通させたりできる。これによって、居住者の要望に応じて建物１内の空気の流通を変えることができるので、より過ごしやすい生活環境を形成することが可能となっている。
【００３３】
また、前記通気孔１２ａ、１４ａは、前記第１および第２張出床部１２、１４に形成された複数の長孔であり、前記開閉手段１３、１５は、前記通気孔１２ａ、１４ａと同形に形成された複数の長孔１３ａ、１５ａを備えており、図２（ａ）に示すように、ツマミ部１３ｂ、１５ｂを長穴に沿って左右方向に動かすことで開閉できるようになっている。
なお、本実施の形態の開閉手段１３、１５は以上のような構成としたが、これに限られるものではなく、本発明の趣旨を逸脱しない範囲で適宜変更可能である。
【００３４】
次に、以上のような本実施の形態の建物１の換気態様を、より効果的に機能させるための技術について詳細に説明する。
【００３５】
まず、図１に示すように、前記第２部屋１７と前記低天井収納室３０との間には出入り口３１が形成されているとともに、この出入り口３１を開閉する開閉扉３２が設けられており、前記開閉扉３２には、前記第２部屋１７と前記低天井収納室３０とを連通する通気部３２ａが設けられている。
なお、前記第１部屋１６と第２部屋１７との間に設けられた階段１７ａと、前記出入り口３１とは隣接して設けられている。
【００３６】
そして、このように前記開閉扉３２に、前記第２部屋１７と前記低天井収納室３０とを連通する通気部３２ａが設けられることによって、前記通気部３２ａを通じて前記第２部屋１７および低天井収納室３０の空気が行き来させることができるので、前記第２部屋１７および低天井収納室３０間の換気効率を向上させることができるようになっている。
【００３７】
本実施の形態の開閉扉３２としては、図１に示すように、引戸形式のものが採用されているが、これに限られるものではなく、本発明の趣旨を逸脱しない範囲で適宜変更可能であることは言うまでもない。
また、前記通気部３２ａは、例えば、夏場等の温暖時季には開放しておき、冬場等の寒冷な時季には閉塞しておけるように、開閉可能であることが好ましい。
【００３８】
一方、前記出窓４０の外壁には、建物１の外部へ通じる換気口４２が前記低天井収納室３０の出入り口３１に対向して設けられた状態となっている。
【００３９】
すなわち、前記出窓４０の外壁に、建物１の外部へ通じる換気口４２が前記低天井収納室３０の出入り口３１に対向して設けられることによって、前記換気口４２から流入させた外気を、前記出入り口３１を通じて前記第２部屋１７に吹き込ませることができるので、建物１内の換気を行うに際して、より効率良く換気を行うことが可能となる。
また、前記換気口４２は、例えば、夏場等の温暖時季には開放しておき、冬場等の寒冷な時季には閉塞しておけるように、開閉可能であることが好ましい。
【００４０】
一方、図３に示すように、前記第１および第２張出床部１２、１４には換気扇装置１８が設けられており、この換気扇装置１８を作動させることで建物１内の換気を行う際の補助となり、換気効率をより一層向上させることができるようになっている。
なお、前記換気扇装置１８が設ける部位の前記第１および第２張出床部１２、１４には、図示はしないが、前記通気孔１２ａ、１４ａに網状のカバーをかけて、空気のみ通過させるようにしておくことが望ましい。
【００４１】
また、前記換気扇装置１８の羽根１８ａの回転方向は正逆反転可能となっており、これによって、居住者の要望に応じて建物１内の空気の流通を変えることができるので、さらに過ごしやすい生活環境を形成することが可能となっている。
【００４２】
そして、図１に示すように、前記低天井収納室３０には、前記出窓４０に取り付けられて、空気を加熱または冷却して室内に送風する空気調和機４３が設けられている。
【００４３】
このように前記低天井収納室３０に空気調和機４３が設けられることから、この空気調和機４３によって、前記低天井収納室３０だけでなく、前記風洞部４１を通じて上下階１０、２０の空気調和も行うことができるので、より一層過ごしやすい生活環境を形成することができるようになっている。
【００４４】
本実施の形態によれば、出窓４０の外壁内面４０ａに沿って設けられた風洞部４１を通じて上下階１０、２０および低天井収納室３０の空気が行き来し、建物１内の空気の流通性を向上させることができるので、建物１内の換気を行うに際して効率良く換気を行うことが可能となる。
特に、暖かい空気は上昇する性質を備えていることから、下階２０の天井２０ａ付近および低天井収納室３０の天井３０ａ付近にあった暖かい空気が、前記風洞部４１を通じて上階１０の天井１０ｂ付近に集まって溜まるので、上階１０に溜まった暖かい空気を前記出窓４０から排気することで、建物１全体の暖かい空気を排気することができるようになり、換気効率に優れる。
また、上階１０の床１０ａの一部の上に中間床１１が設けられ、この中間床１１と上階１０の床１０ａとの間が低天井収納室３０とされているので、建物１内に比較的大きな収納スペースを設けることができる。
そして、上階１０と下階２０とのほぼ中間位置に比較的大きい収納スペースを設けることによって、下階２０や外部で使用する物品も、上階１０で使用する物品も収納しやすくなるので、建物１の収納性能を向上させることが可能となる。
【図面の簡単な説明】
【００４５】
【図１】本発明の建物を示す斜視断面図である。
【図２】第１および第２張出床部を示す平面図であり、（ａ）は通気孔の開放状態を示し、（ｂ）は通気孔の閉塞状態を示す。
【図３】第１および第２張出床部に換気扇装置を設けたことを示す平面図である。
【符号の説明】
【００４６】
１  建物
１０  上階
２０  下階
３０  低天井室
４０  出窓
４１  風洞部
【図１】
0004787022.tif 000002
【図２】
0004787022.tif 000003
【図３】
0004787022.tif 000004